(57)【要約】【課題】打球板（２）とグリップ（３）とを有し、グリップ（３）が打球板（２）に向いた、打球板（２）に不動に結合された前方のグリップ部分（４）と、該前方のグリップ部分（４）に軸方向に接続された後方のグリップ部分（５〜５″′）を有する卓球用ラケットを改良してプレーヤに最適な握りを可能にし、ひいてはプレーヤの好みと特長に応じた取扱いをプレーヤに許す卓球用ラケットを提供すること。【解決手段】グリップ（３）が、該グリップ（３）と打球板（２）とを通って延びる対称軸（７）を中心として回動可能に構成されていること。【選択図】図３
0003103099.tif 000002
【実用新案登録請求の範囲】
【請求項１】
打球板（２）とグリップ（３）とを有し、グリップ（３）が打球板（２）に向いた、打球板（２）に不動に結合された前方のグリップ部分（４）と、該前方のグリップ部分（４）に軸方向で接続された後方のグリップ部分（５，５′…）を有する卓球用ラケットであって、
（イ）前記前方のグリップ部分（４）に、グリップ（３）の中央の長手方向軸線（７）の方向に延びるグリップ軸（８）の第１の端部が固定されており、
（ロ）前記後方のグリップ部分（５，５′…）が前記グリップ軸（８）を中心として回動可能に配置されておりかつそれぞれ前記前方のグリップ部分（４）に対し旋回させられた位置で、ねじ結合（１４，１８）を用いて固定可能である
ことを特徴とする卓球用ラケット。
【請求項２】
前記後方のグリップ部分（５）が一体に構成され、その長手方向軸線（７）の方向で延びる切欠き（９）を有し、該切欠き（９）に前記グリップ軸（８）が通されている、請求項１記載の卓球用ラケット。
【請求項３】
前記後方のグリップ部分（５）を固定するために該後方のグリップ部分（５）が、前記前方のグリップ部分（４）の背面（１０）と、前記後方のグリップ部分（５）の背面側に配置された支持部分（１１）との間に、前記グリップ軸（８）の第２の端部（１３）と結合可能なねじ（１４）又はナット（１８）によって緊締可能である、請求項２記載の卓球用ラケット。
【請求項４】
前記後方のグリップ部分（５）が、前方側及び背面側にて前記後方のグリップ部分（５）の前記切欠き（９）内に配置された弾性的なリング（１６，１７）を介し、前記グリップ軸（８）の上に支承されている、請求項２又は３記載の卓球用ラケット。
【請求項５】
軸方向で前記前方のグリップ部分（４）と後方のグリップ部分（５）との間に弾性的なリング円板（１５）が配置されている、請求項２から４までのいずれか１項記載の卓球用ラケット。
【請求項６】
前記後方のグリップ部分（５′〜５″′）が軸方向で相前後して配置された複数の円板状の区分（２０〜２０″）を有し、該区分がそれぞれ中央の切欠き（２２，２４）を備えており、該円板状の区分（２０〜２０″）が前記グリップ軸（８）の上に差嵌め可能でかつ固定のために支持部分（１１）を介してねじ（１４）又はナットで緊締可能である、請求項１記載の卓球用ラケット。
【請求項７】
前記円板状の区分（２０）がそれぞれ中央の孔（２２）を備え、該孔（２２）の直径が前記グリップ軸（８）の外径よりもわずかに大きい、請求項６記載の卓球用ラケット。
【請求項８】
前記円板状の区分（２０）がそれぞれ１つの切欠き（２３）を備え、該切欠き（２３）内に、中央の孔（２４）を備えた弾性的なリング（２５）が配置されており、前記弾性的なリング（２５）の前記中央の孔（２４）が前記グリップ軸（８）の外径よりもわずかに大きい、請求項６記載の卓球用ラケット。
【請求項９】
前記後方のグリップ部分（５′〜５″′）の前記円板状の区分（２０〜２０″）がスペーサ円板（２１）によって互いに間隔をおいて配置されており、該スペーサ円板（２１）が前記円板状の区分（２０〜２０″）に較べて小さい外径を有している、請求項２又は３記載の卓球用ラケット。
【請求項１０】
前記円板状の区分（２０〜２０″）の一部が異なる直径を有している、請求項６から９までのいずれか１項記載の卓球用ラケット。
【請求項１１】
前記円板状の区分（２０，２０′）の外径が前方のグリップ部分（４）から支持部分（１１）に向かって増大する、請求項１０記載の卓球用ラケット。
【請求項１２】
前記グリップ軸（８）が金属又は炭素から成る管である、請求項１から１０までのいずれか１項記載の卓球用ラケット。
【考案の詳細な説明】
【技術分野】
【０００１】
本考案は打球板とグリップとから成り、グリップが打球板に向けられかつ打球板と不動に結合された前方のグリップ部分と、該前方のグリップ部分に軸方向で接続された後方のグリップ部分とを有する卓球用ラケットに関する。
【背景技術】
【０００２】
公知の卓球用ラケットでは打球板とグリップは通常は分離不能にかつ一般的にはその相対位置に関しても変動不能に互いに結合されている。このためには打球板のグリップ側領域は付加部でグリップの領域まで延び、そこで付加部は２つのグリップシェルと結合されている。グリップは一般的に楕円の形を有している。この場合、平らにされた側は打球板の平面に合わせられかつこの平面に対し平行に向けられている。
【０００３】
打球板に対するグリップの前述の配置並びに構成はどのプレーヤに対しても好適なグリップの保持を可能にするわけではない。
【考案の開示】
【考案が解決しようとする課題】
【０００４】
本考案が解決しようとする課題は、好適なグリップ保持を可能にし、ひいてはプレーヤ固有の好みと特長とに相応したラケット操作をプレーヤに許す卓球用ラケットを提供することである。
【課題を解決するための手段】
【０００５】
本考案の課題は実用新案登録請求の範囲の請求項１の特徴によって解決された。
【０００６】
別の、特に有利な構成は請求項２以下に開示されている。
【０００７】
本考案はグリップを、グリップ部分と打球板とを通って延びる対称軸を中心として回動可能にかつ回動させられた位置に固定可能に構成し、グリップの平らにされた面が打球板の平面に対し正確に平行に延びていることがもはや強制されなくなるようにするという思想に基づいている。
【０００８】
これは本考案によれば前方のグリップ部分に、グリップの中央の長手方向軸線の方向に延びるグリップ軸が第１端部で固定されており、後方のグリップ部分が前記グリップ軸を中心として回動可能に配置されかつ前方のグリップ部分に対し旋回させられたその都度の位置でねじ結合を用いて固定可能であることによって実現された。
【０００９】
本考案の第１実施例では後方のグリップ部分は一体に構成され、その長手方向軸線の方向に延びる切欠きを有し、この切欠きを通って、前方のグリップ部分に固定されたグリップ軸が導かれている。後方のグリップ部分を固定するためには後方のグリップ部分は前方のグリップ部分の背面側と後方のグリップ部分の背面側に配置された、例えば円板状の支持部分との間に緊締可能に配置されている。
【００１０】
プレー中に打球板の振動がグリップを介してプレーヤの手に伝わるのを回避するためには、後方のグリップ部分を、前方側及び背面側でグリップ部分の切欠き内に配置された弾性的なリングを介してグリップ軸の上に支承することが有利であることが証明された。このような振動減衰は、前方のグリップ部分と後方のグリップ部分との間に弾性的なリング円板が配置されていると一層改善される。
【００１１】
本考案の第２実施例では、後方のグリップ部分は軸方向に相前後して配置された複数の円板状の区分から組立てられている。これらの円板状の区分も同様にグリップ軸を中心として回動可能でかつその適正位置に達した後で固定可能である。このような構成はプレーヤの手の大きさと姿勢とにグリップを個別に適合させることができる可能性を著しく増大させる。
【００１２】
円板状の区分はそれぞれ、直径がグリップ軸の外径よりもわずかに大きい中央の孔を有していることができる。しかし、プレーヤの手に対する打球板の振動を減衰させるためには、円板状の区分がそれぞれいくらか大きい中央切欠きを備え、該中央切欠き内に、中央孔を備えた弾性的なリングを配置することもできる。この場合には弾性的なリングの中心孔はグリップ軸の外径よりもわずかに大きい直径を有している。
【００１３】
グリップの特に良好な握りは、後方のグリップの円板状の区分がスペーサ円板によって互いに間隔をおいて保持され、スペーサ円板が円板状の区分に較べて小さな直径を有していることで達成される。
【００１４】
グリップ軸は例えば金属管又はプラスチックから成る管であることができる。
【００１５】
本考案の更なる詳細と利点は図面に基づき説明する実施例で開示してある。
【実施例】
【００１６】
図１に符号１で示された卓球用ラケットは主として打球板２とグリップ３とを有している。グリップ３は打球板２と不動に結合された前方のグリップ部分４と、前方のグリップ部分４に軸方向で接続された後方のグリップ部分５とから成っている。後方のグリップ部分５は一体に構成されている。
【００１７】
前方のグリップ部分４にはグリップ３の中央の長手方向軸線７の方向に延びる、金属管から形成されたグリップ軸８の第１の端部６が固定されている。このグリップ軸８は後方のグリップ部分５内を軸方向に延びる切欠き９を通して導かれている。
【００１８】
後方のグリップ部分５は前方のグリップ部分４の背面１０と、後方のグリップ部分５の背面側に配置された、シム円板から成る支持部分１１との間に緊締されている。この場合、緊締作用はグリップ軸８の第２の端部１３にねじ込まれたねじ１４のねじ頭１２によって与えられる。
【００１９】
プレーヤが彼の身体的な状況にグリップ３が好適に適合していないことを確認すると、プレーヤは単にねじ１４を弛め、後方のグリップ部分５を回動させることでグリップ３を彼にとってもっとも快適な手の姿勢に適合させるだけでよい。この場合、前方のグリップ部分４と後方のグリップ部分５との間の平らな分離面は無段階の回動を可能にする。次いでプレーヤは通常は軽く回動させた後方のグリップ部分５をねじ１４を締めることで再び固定することができる。
【００２０】
図２には図１に対しいくらか変更された卓球用ラケット１′の実施例が示されている。この場合、図１のものにほぼ相当する部分は同じ符号で示されている。
【００２１】
図２に示された実施例は図１に示された実施例とは、一方では打球板２から後方のグリップ部分５に振動が伝達されることを回避するために前方のグリップ部分４と後方のグリップ部分５との間に弾性的なリング円板１５が設けられ、他方では後方のグリップ部分５が、前方側及び背面側にて切欠き９内に配置された弾性的なリング１６，１７を介してグリップ軸８に支持されている点で相違している。
【００２２】
さらにここで記述する実施例では後方のグリップ部分５を固定するための緊締力はグリップ軸８の第２の端部１３に螺着可能なナット１８で生ぜしめられる。
【００２３】
図３と４には後方のグリップ部分５′もしくは５″が軸方向に相前後して配置された８つの円板状の区分２０，２０′を有する卓球用ラケット１′と１″とが示されている。円板状の区分２０，２０′は各グリップ軸８の上に差嵌められ、固定するために支持部分１１を介しねじ１４で緊締される。隣り合う円板状の区分２０，２０′にはスペーサ円板２１によって間隔が与えられており、スペーサ円板２１は円板状の区分２０，２０′に較べて小さい外径を有している。
【００２４】
図３と４とから判るように円板状の区分２０，２０′の外径は前方のグリップ部分４から支持部分１１に向かって増大するように選択されている。
【００２５】
図３には円板状の区分２０の中央の孔２２の直径がグリップ軸８の直径よりもわずかに大きい実施例が示されているのに対し、図４には円板状の区分２０′が切欠き２３を備え、該切欠き２３内に、中央孔２４を備えた弾性的なリング２５が配置されている実施例が示されている。この場合、打球板２からグリップ軸８を介し後方のグリップ部分へ振動が伝達することを回避しようとする弾性的なリング２５の中央孔２４は、グリップ軸８の外径よりもわずかに大きい直径を有している。
【００２６】
もちろん本考案は先きに述べた実施例に限定されるものではない。したがって図５には円板状の区分２０″の直径が後方のグリップ部分５″′の中央領域にて最大でありかつ前方のグリップ部分４へも、支持部分１１へも減少している複数の区分を有する後方のグリップ部分を備えた卓球用ラケット１ＩＶが示されている。
【図面の簡単な説明】
【００２７】
【図１】後方のグリップ部分が一体に構成されている卓球用ラケットの縦断面図。
【図２】後方のグリップ部分が一体に構成されている卓球用ラケットの別の実施例の縦断面図。
【図３】後方のグリップ部分が軸方向に相前後して配置された複数の円板状の区分から構成されている卓球用ラケットを部分的に断面して正面から見た図。
【図４】後方のグリップ部分が軸方向に相前後して配置された複数の円板状の区分から構成されている卓球用ラケットの別の実施例を部分的に断面して正面から見た図。
【図５】円板状の区分から構成された後方のグリップ部分を有する別の実施例の正面図。
【符号の説明】
【００２８】
１〜１ＩＶ  卓球用ラケット、  ２  打球板、  ３  グリップ、  ４  前方のグリップ部分、  ５〜５″  後方のグリップ部分、  ６  第１の端部、  ７  長手方向対称軸、  ８  グリップ軸、  ９  切欠き、  １０  背面、  １１  支持部分、  １２  ねじ頭、  １３  第２の端部、  １４  ねじ、  １５  弾性的なリング円板、  １６，１７  弾性的なリング、  １８  ナット、  ２０〜２０″  円板状の区分、  ２１  スペーサ円板、  ２２  孔、  ２３  切欠き、  ２４  中心孔、  ２５  弾性的なリング
【図１】
0003103099.tif 000003
【図２】
0003103099.tif 000004
【図３】
0003103099.tif 000005
【図４】
0003103099.tif 000006
【図５】
0003103099.tif 000007